(57)【要約】【課題】  画像貼り付け先ドキュメントの編集条件に基づいて、デジタルカメラの撮像条件を変更すること。【解決手段】  条件決定部１０５ｂは、判定部１０５ａで判定したドキュメントの編集条件に基づいてデジタルカメラ１０１の撮像条件を決定し、出力部１０５ｃは、決定した撮像条件をデジタルカメラ１０１へ出力する。その後、出力した撮像条件に基づいて条件が変更された後のデジタルカメラ１０１で撮像された画像を、ドキュメント上の貼り付け範囲に貼り付ける。【選択図】      図１
2006331122.tif 000002
【特許請求の範囲】
【請求項１】
予め設定された画像取得条件に基づいて、画像取得手段で取得して入力される画像をドキュメント上に貼り付ける編集装置であって、
前記ドキュメントの編集条件を判定する判定手段と、
前記判定手段による判定結果に基づいて、前記画像取得手段の前記画像取得条件を決定する条件決定手段と、
前記条件決定手段で決定した前記画像取得条件を前記画像取得手段に出力する出力手段と、
前記出力手段で出力した前記画像取得条件に基づいて前記画像取得手段で取得して入力される画像を、前記ドキュメント上に貼り付ける画像貼り付け手段とを備えることを特徴とする編集装置。
【請求項２】
請求項１に記載の編集装置において、
前記判定手段は、前記ドキュメントの用途、出力方法、およびドキュメント上における画像貼り付け範囲のサイズの少なくともいずれか１つを前記編集条件として判定することを特徴とする編集装置。
【請求項３】
請求項２に記載の編集装置において、
前記画像取得条件は、画像取得時の色空間、解像度、輪郭強調、階調、彩度、色合い、およびノイズリダクションのそれぞれに関する設定条件であり、
前記条件決定手段は、前記編集条件に基づいて、前記設定条件の少なくともいずれか１つを決定することを特徴とする編集装置。
【請求項４】
請求項１〜３のいずれか一項に記載の編集装置において、
前記画像取得手段は、デジタルカメラ、またはイメージスキャナであることを特徴とする編集装置。
【請求項５】
コンピュータで実行され、予め設定された画像取得条件に基づいて、画像取得手段で取得して入力される画像をドキュメント上に貼り付けるための編集プログラムであって、
前記ドキュメントの編集条件を判定する判定処理と、
前記判定処理による判定結果に基づいて、前記画像取得手段の前記画像取得条件を決定する条件決定処理と、
前記条件決定処理で決定した前記画像取得条件を前記画像取得手段に出力する出力処理と、
前記出力処理で出力した前記画像取得条件に基づいて前記画像取得手段で取得して入力される画像を、前記ドキュメント上に貼り付ける画像貼り付け処理とを有することを特徴とする編集プログラム。
【請求項６】
請求項５に記載の編集プログラムにおいて、
前記判定処理は、前記ドキュメントの用途、出力方法、およびドキュメント上における画像貼り付け範囲のサイズの少なくともいずれか１つを前記編集条件として判定することを特徴とする編集プログラム。
【請求項７】
請求項６に記載の編集プログラムにおいて、
前記画像取得条件は、画像取得時の色空間、解像度、輪郭強調、階調、彩度、色合い、およびノイズリダクションのそれぞれに関する設定条件であり、
前記編集条件に基づいて、前記設定条件の少なくともいずれか１つを決定することを特徴とする編集プログラム。
【発明の詳細な説明】
【技術分野】
【０００１】
本発明は、パソコンなどの情報機器上で動作する各種ドキュメント編集用アプリケーションへの画像の入力を制御する編集装置、および編集プログラムに関する。
【背景技術】
【０００２】
次のようなデジタルカメラシステムが特許文献１によって知られている。このデジタルカメラシステムによれば、画像出力先のアプリケーションプログラムで使用する画像に関する種々の情報に応じて、デジタルカメラで撮像した画像を画像処理して加工した後に、アプリケーションプログラムへ画像を出力する。
【０００３】
【特許文献１】特開２００４−３２５６４号公報
【発明の開示】
【発明が解決しようとする課題】
【０００４】
しかしながら、従来のデジタルカメラシステムによれば、撮像した画像を画像出力先のアプリケーションプログラムで使用する画像に関する種々の情報に応じて画像処理する必要があったため、処理が重くなるという問題が生じていた。
【課題を解決するための手段】
【０００５】
本発明は、予め設定された画像取得条件に基づいて、画像取得手段で取得して入力される画像をドキュメント上に貼り付ける編集装置、および編集プログラムであって、ドキュメントの編集条件を判定し、判定結果に基づいて画像取得手段の画像取得条件を決定し、決定した画像取得条件を画像取得手段に出力し、出力手段で出力した画像取得条件に基づいて画像取得手段で取得して入力される画像を、ドキュメント上に貼り付けることを特徴とする。
本発明はまた、ドキュメントの用途、出力方法、およびドキュメント上における画像貼り付け範囲のサイズの少なくともいずれか１つを編集条件として判定することを特徴とする。
本発明はまた、画像取得条件は、画像取得時の色空間、解像度、輪郭強調、階調、彩度、色合い、およびノイズリダクションのそれぞれに関する設定条件であり、編集条件に基づいて、設定条件の少なくともいずれか１つを決定することを特徴とする。
本発明はまた、画像取得手段は、デジタルカメラ、またはイメージスキャナであることを特徴とする。
【発明の効果】
【０００６】
本発明によれば、ドキュメントの編集条件に基づいて決定した画像取得条件で取得された画像をドキュメント上に貼り付けることができ、処理の負荷を低減することができる。
【発明を実施するための最良の形態】
【０００７】
図１は、本実施の形態における編集装置の一実施の形態の構成を示すブロック図である。編集装置１００は、画像を撮像して編集装置１００へ出力する画像取得装置、例えばデジタルカメラ１０１、後述するドキュメント編集用アプリケーションプログラムによって出力される画面、およびデジタルカメラ１０１で撮像される画像を表示するモニタ１０６、および業務用の印刷機、または家庭用のプリンタなどの印刷装置１０７と接続されている。
【０００８】
編集装置１００はさらに、デジタルカメラ１０１で撮像した画像データを格納するバッファメモリ１０２と、ＤＴＰアプリケーションなどのドキュメント編集用アプリケーションプログラム、および後述する編集プログラムを格納するＨＤＤ１０３と、使用者によって操作される入力装置、例えばマウス１０４と、ＣＰＵ、メモリ、およびその他の周辺回路で構成される制御装置１０５とを備えている。
【０００９】
デジタルカメラ１０１は、撮像条件変更部１０１ａを有しており、この撮像条件変更部１０１ａは、後述する処理によって制御装置１０５から画像撮像時の取得条件、すなわち撮像条件の変更が指示された場合には、その指示内容に基づいて撮像条件を変更する。
【００１０】
このデジタルカメラ１０１は、ＵＳＢなどによる有線接続、または無線ＬＡＮなどの無線接続によって編集装置１００と接続されており、画像取得装置として画像を撮像して制御装置１０５へ出力する。すなわち、撮影レンズが被写体に向けられると、例えば１秒間に３０フレームの画像を連続して撮像したスルー画（動画）を制御装置１０５に出力する。このデジタルカメラ１０１で撮像したスルー画は、バッファメモリ１０２に記憶され、使用者は、デジタルカメラ１０１に搭載された液晶モニタや、モニタ１０６を介してスルー画を確認することができる。
【００１１】
そして、マウス１０４が操作され、使用者によって静止画の撮像が指示された場合には、その時点で撮像されたフレームを静止画としてバッファメモリ１０２に記憶する。本実施の形態では、この撮像された静止画は、後述するように、ＤＴＰアプリケーションなどのドキュメント編集用アプリケーションで編集中のドキュメント上に貼り付けることができる。
【００１２】
制御装置１０５は、判定部１０５ａと、条件決定部１０５ｂと、出力部１０５ｃとを備えている。判定部１０５ａは、画像（イメージ）を貼り付ける先のドキュメントの編集条件を判定する。なお、本実施の形態におけるドキュメントの編集条件は、後述するように、編集されるドキュメントの用途、編集されるドキュメントの出力方法、ドキュメント上における画像貼り付け範囲のサイズであり、判定部１０５ａはこれらについてそれぞれ内容を判定する。
【００１３】
条件決定部１０５ｂは、判定部１０５ａによって判定されたドキュメントの編集条件に基づいて、貼り付け先のドキュメントの編集条件に応じてデジタルカメラ１０１の画像取得条件（撮像条件）、すなわち撮像時の色空間、および解像度を決定する。そして、出力部１０５ｃは、デジタルカメラ１０１の撮像条件を、条件決定部１０５ｂによって決定された内容に変更指示する。具体的には次のように処理する。
【００１４】
判定部１０５ａは、ドキュメント編集用アプリケーションが起動され、使用者によってドキュメントの編集（作成）が開始されると、編集が開始されたドキュメントの用途を判定する。本実施の形態では、例えば、印刷用ドキュメントを編集するための印刷ドキュメント編集モードと、ＷＥＢ用ドキュメントを編集するためのＷＥＢドキュメント編集モードとを有する多機能ＤＴＰ編集用アプリケーションが起動された場合に、使用者によっていずれのモードでドキュメントの編集が開始されたかを判定する。これによって、編集が開始されたドキュメントの用途が印刷用であるかＷＥＢ用であるかを判定することができる。
【００１５】
判定部１０５ａはさらに、編集が開始されたドキュメントの出力方法（出力先）を判定する。すなわち、判定したドキュメントの用途が印刷用である場合には、制御装置１０５に接続されている印刷装置１０７の種別を判定して、編集が開始されたドキュメントの出力先が業務用印刷機であるか、あるいは家庭用プリンタであるかを判定する。また、判定したドキュメントの用途がＷＥＢ用である場合には、出力先はモニタ１０６であると判定する。
【００１６】
条件決定部１０５ｂは、ドキュメントの出力先が業務用印刷機であると判定された場合には、デジタルカメラ１０１に設定される色空間をＡｄｏｂｅ（登録商標）ＲＧＢとし、ドキュメントの出力先が家庭用プリンタ、またはモニタ１０６であると判定された場合には、デジタルカメラ１０１に設定される色空間をｓＲＧＢとするように決定する。これによって、編集中のドキュメントの用途、および出力方法に応じて、撮像条件である色空間を最適なものに決定することができる。
【００１７】
すなわち、扱える色の範囲が広い業務用印刷機による印刷を目的として編集される印刷用ドキュメントは、それに対応した広い色空間で撮像して、高画質な画像を得るように撮像条件を決定することができる。一方、扱える色の範囲が狭いインクジェットプリンタなどの家庭用プリンタによる印刷を目的として編集される印刷用ドキュメント、またはモニタ１０６上での閲覧を目的とするＷＥＢ用ドキュメントは、出力先の印刷能力、または表示能力に応じた相応な色空間で撮像して、画像データのサイズを小さくするように撮像条件を決定することができる。
【００１８】
その後、使用者によって、ドキュメント編集画面上で静止画（イメージ）を貼り付ける位置、および貼り付け範囲が指定されると、判定部１０５ａは、その貼り付け範囲のサイズ、すなわち縦サイズと横サイズ（貼り付け画像のアスペクト比）を検出する。なお、本実施の形態では、使用者はドキュメント編集画面上の任意の位置を始点としてマウス１０４をドラッグして、ドキュメント編集画面上に所定の大きさを有する領域を描画することによって、そのドラッグ範囲（描画領域）を画像貼り付け範囲として指定することができる。
【００１９】
条件決定部１０５ｂは、判定部１０５ａによって検出された貼り付け範囲のサイズに応じて、デジタルカメラ１０１の撮像時の解像度を決定する。すなわち、使用者によって、マウス１０４で指定された範囲に貼り付ける画像について、上述した処理で判定した出力方法で出力するために必要な解像度を算出し、その解像度をデジタルカメラ１０１の撮像条件として決定する。
【００２０】
以上の処理によって、例えば、
（１）編集が開始されたドキュメントの用途が印刷用であり、接続されている印刷装置１０７が業務用印刷機である。
（２）使用者によって指定されたサイズの画像を業務用印刷機で印刷するためには、３２６４（ピクセル）×２４４８（ピクセル）の解像度が必要である。
と判定された場合には、条件決定部１０５ｂは、撮像条件として、色空間＝ＡｄｏｂｅＲＧＢ、解像度＝３２６４（ピクセル）×２４４８（ピクセル）を決定する。そして、出力部１０５ｃは、デジタルカメラ１０１に対して、当該撮像条件を制御用データとしてデジタルカメラ１０１へ出力する。
【００２１】
出力部１０５ｃから上述した制御データが出力された場合には、デジタルカメラ１０１の撮像条件変更部１０１ａは、この制御データに含まれる撮像条件に基づいて撮像時の色空間および解像度を設定する。その結果、設定変更後の色空間、および解像度で撮像されたスルー画がバッファメモリ１０２に蓄積され、使用者によって任意のタイミングで静止画の撮像が指示されると、そのときに撮像したフレームを静止画としてバッファメモリ１０２に保存した後、ドキュメント上の指定された画像貼り付け範囲に当該静止画を貼り付ける。
【００２２】
これによって、ドキュメントの編集条件に基づいて決定した撮像条件でデジタルカメラ１０１が撮像した画像を指定範囲内に貼り付けることができ、使用者がデジタルカメラ１０１の設定を意識することなく、常に編集中のドキュメントに適した撮像条件で撮像した画像をドキュメント上に貼り付けることができる。
【００２３】
図２は、本実施の形態における編集装置の処理の流れを示すフローチャートである。この図２に示す処理は、使用者によってマウス１０４が操作されて、ＤＴＰアプリケーションが起動され、上述したいずれかの編集モードでドキュメントの編集が開始された場合に制御装置１０５によって実行される。すなわち、制御装置１０５が、編集プログラムをＨＤＤ１０３から読み込んで起動することによって実行される。
【００２４】
ステップＳ１０において、デジタルカメラ１０１で撮像されるスルー画の読み込みを開始して、ステップＳ２０へ進む。ステップＳ２０では、判定部１０５ａは、ＤＴＰアプリケーション上で編集が開始されたドキュメントの用途を判定する。すなわちドキュメントの用途が印刷用であるかＷＥＢ用であるかを判定する。その後ステップＳ３０へ進み、上述したように編集を開始したドキュメントの出力方法を判定する。すなわち、ドキュメントの出力先が業務用印刷機か、家庭用プリンタか、あるいはモニタ１０６かを判定する。その後、ステップＳ４０へ進む。
【００２５】
ステップＳ４０では、条件決定部１０５ｂは、上述したように、判定部１０５ａによって判定されたドキュメントの編集条件、すなわちドキュメントの用途、およびドキュメントの出力方法に基づいて、デジタルカメラ１０１の撮像条件としての色空間を決定する。その後、ステップＳ５０へ進み、判定部１０５ａは、使用者によって編集中のドキュメント上に、画像を貼り付ける所定の領域、すなわち画像貼り付け範囲が指定されたか否かを判断する。その結果、使用者によって画像貼り付け範囲が指定されたと判断した場合には、ステップＳ６０へ進む。
【００２６】
ステップＳ６０では、条件決定部１０５ｂは、上述したように、判定部１０５ａによって判定されたドキュメントの編集条件、すなわちドキュメントの出力方法、およびドキュメント上の画像貼り付け範囲のサイズに基づいて、デジタルカメラ１０１の撮像条件としての解像度を決定する。その後、ステップＳ７０へ進み、出力部１０５ｃは、デジタルカメラ１０１に対して、決定したデジタルカメラ１０１の撮像条件を制御用データとしてデジタルカメラ１０１へ出力する。これによって、デジタルカメラ１０１の撮像条件が撮像条件変更部１０１ａによって制御用データに含まれる撮像条件に基づいて変更される。その後、ステップＳ８０へ進む。
【００２７】
ステップＳ８０では、使用者によってマウス１０４が操作され、ドキュメント上に貼り付ける静止画の撮像が指示されたか否かを判断する。使用者によって静止画の撮像が指示されたと判断した場合には、ステップＳ９０へ進み、そのときに撮像したフレームを静止画としてバッファメモリ１０２に保存して、ステップＳ１００へ進む。ステップＳ１００では、撮像した静止画をドキュメント上の使用者によって指定された範囲に貼り付ける。その後、ステップＳ１１０へ進む。
【００２８】
ステップＳ１１０では、ＤＴＰアプリケーションが使用者によって終了されたか否かを判断する。その結果、アプリケーションが終了されていないと判断した場合には、ステップＳ５０に戻って処理を繰り返す。これに対してアプリケーションが終了されたと判断した場合には、処理を終了する。
【００２９】
以上説明した本実施の形態によれば、以下のような作用効果を得ることができる。
（１）編集が開始されたドキュメントの編集条件に基づいて、デジタルカメラ１０１の撮像条件を決定して、その撮像条件で撮像した静止画をドキュメント内に貼り付けるようにした。これによって、編集中のドキュメントの内容に応じた最適な撮像条件で撮像した画像をドキュメント内に自動で貼り付けることができる。また、ドキュメント内に画像を貼り付けるためにＤＴＰアプリケーションによる画像処理が不要となり、処理の負荷を低減することができる。さらに画像貼り付け前の画像処理が不要になることから、使用者の作業負荷も低減することができる。
【００３０】
（２）ドキュメントの編集条件に含まれるドキュメントの用途、およびドキュメントの出力方法に基づいて、デジタルカメラ１０１の撮像条件の１つである色空間を決定するようにした。これによって、編集中のドキュメントの用途、および出力方法に応じて、最適な色空間を決定することができる。
【００３１】
（３）ドキュメントの編集条件に含まれるドキュメントの出力方法、およびドキュメント上における画像貼り付け範囲のサイズに基づいて、デジタルカメラ１０１の撮像条件の１つである解像度を決定するようにした。これによって、ドキュメントの出力方法によって指定サイズの画像を出力するために必要な最適な解像度を決定することができる。
【００３２】
―変形例―
なお、上述した実施の形態の編集装置は、以下のように変形することもできる。
（１）上述した実施の形態では、条件決定部１０５ｂは、ドキュメントの出力先が業務用印刷機であると判定された場合には、デジタルカメラ１０１に設定する色空間をＡｄｏｂｅＲＧＢとし、ドキュメントの出力先が家庭用プリンタ、またはモニタ１０６であると判定された場合には、デジタルカメラ１０１に設定する色空間をｓＲＧＢとするように決定する例について説明した。しかしこれに限定されず、それぞれに対して決定する色空間をその他の色空間としてもよい。
【００３３】
（２）上述した実施の形態では、ドキュメントの用途、および出力方法に応じて、デジタルカメラ１０１の撮像時の色空間を決定するようにした。しかしながら、ドキュメントの用途、および出力方法に応じて、デジタルカメラ１０１の撮像時の解像度を決定するようにしてもよい。例えば、ドキュメントの用途が印刷用である場合には、接続されている印刷装置１０７の出力可能な解像度を判定し、その解像度で画像を撮像するようにデジタルカメラ１０１へ指示してもよい。また、ドキュメントの用途がＷＥＢ用である場合には、デジタルカメラ１０１の解像度が６４０（ピクセル）×４８０（ピクセル）となるように指示してもよい。
【００３４】
（３）上述した実施の形態では、使用者によって指定された貼り付け範囲のサイズに基づいてデジタルカメラ１０１の撮像時の解像度を決定し、その解像度で撮像した静止画を指定された貼り付け範囲に貼り付ける例について説明した。しかしながら、デジタルカメラ１０１であらかじめ定められている撮像可能な複数の解像度と、貼り付け範囲に貼り付けるための画像を撮像する解像度とが一致しない場合には、貼り付け範囲に貼り付ける画像の解像度よりも大きな解像度で静止画を撮像して、ドキュメント上への貼り付け範囲に合わせて画像サイズを変更するようにしてもよい。すなわちデジタルカメラ１０１で撮像した画像をＤＴＰアプリケーションでリサイズしてもよい。あるいは、デジタルカメラ１０１の撮像素子がＣＭＯＳイメージングデバイスである場合には、貼り付け範囲に貼り付ける画像の解像度よりも大きな解像度に設定し、貼り付け範囲に相当する範囲のみを撮像するようにしてもよい。
【００３５】
（４）上述した実施の形態では、ドキュメントの編集条件として、編集されるドキュメントの用途、編集されるドキュメントの出力方法、およびドキュメント上における画像貼り付け範囲のサイズを判定する例について説明した。しかしこれに限定されず、編集されるドキュメントの用途、編集されるドキュメントの出力方法、およびドキュメント上における画像貼り付け範囲のサイズの少なくともいずれか１つを判定するようにしてもよい。
【００３６】
（５）上述した実施の形態では、ドキュメント編集用アプリケーションとして、ＤＴＰアプリケーションを使用する例について説明したが、これに限定されず、例えばワープロアプリケーションやホームページ編集用アプリケーションなどのその他のドキュメント編集用アプリケーションを使用する場合にも適用可能である。
【００３７】
（６）上述した実施の形態では、デジタルカメラ１０１を画像取得装置として使用し、編集中のドキュメントの編集条件に基づいて、デジタルカメラ１０１の撮像条件を決定する例について説明した。しかしこれに限定されず、例えばイメージスキャナを画像取得装置として使用し、ドキュメントの編集条件に基づいて、イメージスキャナによる画像取得条件を決定する場合にも適用可能である。
【００３８】
（７）上述した実施の形態では、デジタルカメラ１０１の撮像条件として、画像撮像時の色空間、および解像度を決定する例について説明したが、これに限定されず、例えば画像取得時の輪郭強調、階調、彩度、色合い、およびノイズリダクションなどの設定条件を決定するようにしてもよい。
【００３９】
なお、本発明の特徴的な機能を損なわない限り、本発明は、上述した実施の形態における構成に何ら限定されない。
【図面の簡単な説明】
【００４０】
【図１】編集装置の一実施の形態の構成を示すブロック図である。
【図２】編集装置の処理の流れを示すフローチャート図である。
【符号の説明】
【００４１】
１００  編集装置
１０１ａ  撮像条件変更部
１０１  デジタルカメラ
１０５  制御装置
１０５ａ  判定部
１０５ｂ  条件決定部
１０５ｃ  出力部
【図１】
2006331122.tif 000003
【図２】
2006331122.tif 000004